(57)【特許請求の範囲】
【請求項１】
天井開口部を塞ぐ天井蓋が装着され天井裏面側に配置される水平方向移動手段と、前記水平方向移動手段を天井面より下方位置へ移動させる当該天井裏面側に配設された垂直上下方向移動手段とを備え、前記垂直上下方向移動手段によって天井蓋を天井面より降下させた後、前記水平方向移動手段によって天井蓋を横移動させて、前記天井開口部を開放させることを特徴とする天井蓋開閉装置。
【請求項２】
垂直上下方向移動手段は降下速度を緩和させる降下速度緩和手段を有することを特徴とする請求項１に記載の天井蓋開閉装置。
【請求項３】
水平方向移動手段は、移動方向と直交する傾動中心軸を介して垂直上下方向移動手段に傾動可能に軸着され、降下した際には所定方向に傾斜可能としたことを特徴とする請求項１又は請求項２に記載の天井蓋開閉装置。
【請求項４】
傾動中心軸は、移動方向における水平方向移動手段の重心位置を外して設けたことを特徴とする請求項３に記載の天井蓋開閉装置。
【請求項５】
垂直上下方向移動手段は、天井開口部の周囲に適宜配設された垂直ガイド部材と、前記垂直ガイド部材にローラを介して昇降自在に配設された昇降枠体と、前記垂直ガイド部材に垂直方向に形成された昇降範囲規制長孔と、前記昇降範囲規制長孔に挿通されたストッパ部材とを有することを特徴とする請求項１、３又は４に記載の天井蓋開閉装置。
【請求項６】
垂直上下方向移動手段は、天井開口部の周囲に適宜配設された垂直ガイド部材と、前記垂直ガイド部材にローラを介して昇降自在に配設された昇降枠体と、前記垂直ガイド部材に垂直方向に形成された昇降範囲規制長孔と、前記昇降範囲規制長孔に挿通されたストッパ部材とを有し、
降下速度緩和手段は、昇降枠体の降下速度を緩和させるバネであることを特徴とする請求項２に記載の天井蓋開閉装置。
【請求項７】
水平方向移動手段は、垂直上下方向移動手段の下部にスライド可能に装着されたスライドレールであることを特徴とする請求項１乃至請求項６のいずれか一項に記載の天井蓋開閉装置。
【請求項８】
スライドレールは、当該スライドレール本体から滑り出る少なくとも一本の子スライドレールを有し、滑り出された最先位置の子スライドレールに天井蓋が装着されたことを特徴とする請求項７に記載の天井蓋開閉装置。
【発明の詳細な説明】
【０００１】
【発明の属する技術分野】
本発明は、天井裏面側に配置され、当該天井の天井開口部を塞ぐ天井蓋を開閉自在に保持する天井蓋開閉装置に関し、詳しくは、天井蓋を天井裏面側にではなく、天井下面側に開閉する装置、例えば、エレベータかご室用の天井蓋開閉装置に関する。
【０００２】
【従来の技術】
従来の技術を、エレベータかご室の天井蓋開閉装置を例にして、図１２及び図１３に基づいて説明する。図１２はかご室の天井を下から見上げた平面図、図１３は図ｌ２のＧ−Ｇ線断面図である。
【０００３】
図１２及び図１３において、図中の符号１はカゴ室であり、その外周は天板２と底板及び周壁板等の外板で形成されている。
上記の天板２には、非常救出ロ兼点検口としての天板開口部３が開設され、これには外板蓋４が外方向に片開き自在に設けられている。
この外板蓋４は、非常時には乗客の脱出口として、又、点検作業時には天板２と後述の天井５との間、即ち天井裏に配設された照明器具６等をかご室１の天板２の上から点検する際の点検口として使用される。尚、１７、１７は外板蓋４の外板蓋４の自由端側が止着される外板蓋止具である。
【０００４】
上記かご室１の天井５は、天板２から約２００ｍｍ程度の狭い間隔を置いて、吊り下げられている。この天井５には、上記の天板開口部３に相応させて、天板開口部３と同様の、非常救出ロとしての天井開口部８が開設されている。
天井開口部８には、天井蓋９が天井５の下面側、即ち、カゴ室１内から見て、内側に向って片開き自在に設けられている。尚、１０は天井蓋９の蝶番、１１は天井蓋９の自由端側が止着される天井蓋止具、１２は照明板である。
【０００５】
上記のように構成されたエレベータかご室１の天井開閉装置は、次のようにして開閉される。
先ず、天板２上に乗った作業員が、外板蓋止具７の、例えば、図示されていない摘みネジ等を緩めて、天板蓋４を外方に持ち上げて、天板開口部３を開口させる。
次に、天板開口部３から手を差し下ろし、天井蓋止具１１を上記の外板蓋止具７と同様に緩める。
天井蓋止具１１が解放されると、天井蓋９は、その自由端側が、蝶番１０を中心に大きな弧を描いてカゴ室１内に垂れ下がり、これによって、天井開口部８が開口される。
【０００６】
非常時において避難口となるこの天井開口部８は、乗客が楽に脱出できるように開口面積が大きい程よい。
しかし、天井開口部８の開口面積に応じて、当然、天井蓋９も大きくなってしまうため、上記のような構成では、開放の際に、その自由端側がカゴ室１内に長く垂れ下がり、例えば、満員状態においては乗客の危険ともなる。このため、垂れ下がる天井蓋９の自由端部は床上１８００ｍｍ以上であること、という法規制が行われている。
【０００７】
上記のような、従来の天井蓋開閉装置では、法規制を満たし、且つ、天井開口部８を大きく開口させようとすると、天井５を十分に高くする必要が有るが、これを高くすると、カゴ室１の容量及び重量が増大してしまうとう問題を生ずる。
【０００８】
かかる問題を解決する天井蓋開閉装置として、例えば、実開昭５４−４５０５８号公報のように、カゴ室１の天井裏面側に天井蓋を引き上げて、天井裏に敷設したガイドレールに乗せて横移動させる装置が提案されている。
しかし、この装置では、カゴ室１の内側に天井蓋が開かない利点はあるものの、緊急を要する非常時において、天板上に乗った作業員が手を差し降ろして、比較的重いこの天井蓋を持上げて、天井裏のガイドレールに乗せねばならず、所要の力量が必要となる上に、作業性が悪く天井蓋の開閉に時間を要してしまうという問題がある。
又、天板２との間に僅かな隙間しかない天井裏には、かご室１の照明用具や電気配線等の配設を考慮しなければならないため、大きな天井蓋を収納させようとすると、設計上大きな問題が生じる。
又、天井裏にガイドレールを敷設するには、当該ガイドレール及び天井蓋の荷重に耐え得る天井構造としなければならず、このため製造コストが嵩むという問題もある。
【０００９】
【発明が解決しようとする課題】
本発明は、上記のような課題を解消し、迅速且つ容易に開くことのできる天井蓋開閉装置、例えば、エレベータかご室用の天井開閉装置の提供を目的とする。
【００１０】
【課題を解決するための手段】
請求項１の天井蓋開閉装置の発明は、天井開口部を塞ぐ天井蓋が装着され天井裏面側に配置される水平方向移動手段と、前記水平方向移動手段を天井面より下方位置へ移動させる当該天井裏面側に配設された垂直上下方向移動手段とを備え、前記垂直上下方向移動手段によって天井蓋を天井面より降下させた後、前記水平方向移動手段によって天井蓋を横移動させて、前記天井開口部を開放させることを特徴とする。
【００１１】
請求項２の発明は、請求項１に記載の天井蓋開閉装置において、垂直上下方向移動手段は降下速度を緩和させる降下速度緩和手段を有することを特徴とする。
【００１２】
請求項３の発明は、請求項１又は請求項２に記載の天井蓋開閉装置において、水平方向移動手段は、移動方向と直交する傾動中心軸を介して垂直上下方向移動手段に傾動可能に軸着され、降下した際には所定方向に傾斜可能としたことを特徴とする。
【００１３】
請求項４の発明は、請求項３に記載の天井蓋開閉装置において、傾動中心軸は、移動方向における水平方向移動手段の重心位置を外して設けたことを特徴とする。
【００１４】
請求項５の発明は、請求項１乃至請求項４の何れかに記載の天井蓋開閉装置において、垂直上下方向移動手段は、天井開口部の周囲に適宜配設された垂直ガイド部材と、前記垂直ガイド部材にローラを介して昇降自在に配設された昇降枠体と、前記垂直ガイド部材に垂直方向に形成された昇降範囲規制長孔と、前記昇降範囲規制長孔に挿通されたストッパ部材とを有することを特徴とする。
【００１５】
請求項６の発明は、請求項５に記載の天井蓋開閉装置において、降下速度緩和手段は、昇降枠体の降下速度を緩和させるバネであることを特徴とする。
【００１６】
請求項７の発明は、請求項１乃至請求項６に記載の天井蓋開閉装置において、水平方向移動手段は、垂直上下方向移動手段の下部にスライド可能に装着されたスライドレールであることを特徴とする。
【００１７】
請求項８の発明は、請求項７に記載の天井蓋開閉装置において、スライドレールは、当該スライドレール本体から滑り出る少なくとも一本の子スライドレールを有し、滑り出された最先位置の子スライドレールに天井蓋が装着されたことを特徴とする。
【００１８】
【発明の実施の形態】
実施の形態１．
以下、本発明の実施の形態１を示す図１乃至図６に基づいて説明する。図１はエレベータのかご室内から見上げた天井開閉装置の平面図、図２は図１のＡ−Ａ線断面図、図３は図２のＢ一Ｂ線断面図、図４は昇降範囲規制長孔とストッパ部材とを示す側面図、図５は図４の平面図、図６は図２のＣ−Ｃ線断面図、図７は図２のＤ−Ｄ線断面図である。尚、図１２、図１３と同一符号及び記号は実質的に同一内容である。
【００１９】
図１乃至図３において、実施の形態１に示す天井蓋開閉装置は、天井５の裏面側に納まるように配置され、下部に天井開口部８を塞ぐ天井蓋９が装着された水平方向移動手段を備えている。
この水平方向移動手段は、後述する垂直上下方向移動手段２０によって、天井５の下面側、即ち天井面下方の所定位置に降下された際に、天井蓋９を天井５の面と略平行に横移動させて、天井開口部８を大きく開口させる手段である。
【００２０】
図２、図５及び図６において、この例に示す水平方向移動手段は、垂直上下方向移動手段２０の下部にスライド可能に装着されたスライドレールを用いている。
スライドレール３０は、垂直上下方向移動手段２０に装着されたスライドレール本体３１と、このスライドレール本体３１にスライド自在に収納された子スライドレール３２とを備えているが、これに限らず、第２、第３の子スライドレール(非図示)を備えたものであってもよい。何れにしても、天井蓋９は、このようなスライドレールにおいて、滑り出された最先位置のスライドレール３２に装着される。
【００２１】
このスライドレール３０の垂直上下方向移動手段２０への装着は、スライドレール本体３１を取付部材３４を介して垂直上下方向移動手段２０に取り付けている。この取付部材３４には、子スライドレール３２の自由な滑り出しを阻止する係止手段としての摘みネジ３５が設けてある（図７）。
従って、使用に先立ち、この摘みネジ３５を緩めておかねばならない。
【００２２】
次に、垂直上下方向移動手段２０は、上記の水平方向移動手段（３０）を天井５の面（以下、天井面ともいう）の高さ位置より低い所定の下方位置へ垂直移動させるよう天井５の裏面側に配設された手段である。尚、天井面の高さ位置より低い所定の下方位置とは、垂直上下方向移動手段２０によって、降下された上記水平方向移動手段（３０）が、天井蓋９を横移動させるに必要な、当該天井面からの最少間隔を与える位置をいい、この間隔はできるだけ小さい方が好ましい。
【００２３】
図示の垂直上下方向移動手段２０は、天井開口部８の周囲に適宜配設され、上端側が天板２に固定されて垂下する四本の断面Ｌ型の垂直ガイド部材２１、２１、２１、２１と、これらの垂直ガイド部材２１に、滑動体としての例えばローラ２２を介して昇降自在に配設された昇降枠体２３とを備えている。
図３において、各垂直ガイド部材２１において直角に接する２つのガイド面には、それぞれ昇降枠体２３に突設されたローラ２２、２２が各々宛がわれているため、昇降枠体２３は２次元方向のガタツキが解消され、位置ずれを起こすこと無く、円滑に昇降することができる。
【００２４】
図４及び図５において、上記の各垂直ガイド部材２１には、垂直方向での昇降枠体２３の上下動可能な範囲を規定する昇降範囲規制長孔２４が形成されており、これらの各昇降範囲規制長孔２４には昇降枠体２３から突設されたストッパ部材としてのピン２５が挿通されている。
又、昇降枠体２３を垂直ガイド部材２１の上方位置に待機させておくため、天板２の外面には、各垂直ガイド部材２１の上方位置に引き上げられて待機状態にある昇降枠体２３を固定しておくための、固定手段としての摘みネジ２６が突設されている。従って、使用時に、この摘みネジ２６を緩めれば、昇降枠体２３と共に天井蓋９が落下する。
【００２５】
この実施の形態１によれば、垂直上下方向移動手段２０によって昇降枠体２３の天井蓋９を天井５の面より、天井蓋９を水平状態のまま、一旦下方位置へ降下させた後、水平方向移動手段（３０）により天井面に沿って手動で横移動させて、天井開口部８を大きく開放させることができる。
従って、従来のように天井蓋９を持上げる必要が無いため、力量を必要とせず、誰でもが迅速且つ容易に操作することができる。
又、従来のように、天井蓋が片開きに垂れ下がる場合に比べて、天井面下における所要の作動空間を小さくコンパクトにすることができ、開放時における天井蓋の下端までの床上高さの法規上の制約を十分に満たすことができる。
又、かご室１の容量及び重量も必要な範囲でコンパクにすることができ、製造コストを低減させることもできる。
【００２６】
実施の形態２．
実施の形態２は、上記実施の形態１において、垂直移動時における昇降枠体２３、及び当該昇降枠体２３に装着された水平方向移動手段（３０）、及び当該水平方向移動手段（３０）に装着された天井蓋９の降下速度と衝撃を緩和させるため、垂直上下方向移動手段２０に降下速度緩和手段２８を設けた構成としたものである。これを図８に基づいて説明する。図８は本装置の要部拡大図である。
図に示す降下速度緩和手段２８は、引張りコイルバネであり、その一端が天板２に、他端が昇降枠体２３に係止されている。引張りコイルバネ２８の一端は天板２ではなく、垂直ガイド部材２１や最寄りの適所に係止させてもよい。この引張りコイルバネ２８の張力は、例えば、昇降枠体２３及び天井蓋９の荷重を支えるに不十分であって、昇降枠体２３及び天井蓋９が降下終了まで延びるものとする。
このような降下速度緩和手段２８としては、勿論、この例に限らず、適宜の緩衝手段を用いることができる。
【００２７】
この実施の形態２によれば、垂直上下方向移動手段２０に降下速度緩和手段２８としてのバネを、天板２と昇降枠体２３との間に介在させた構成としたものであるから、昇降枠体２３及び水平方向移動手段（３０）、更には天井蓋９の降下速度と衝撃とを緩和させることができ、装置を円滑に作動させることができる。
又、天井開口部８を大きく開口させるために、大きく形成されて重量が増した天井蓋９であっても、垂直移動の際、即ち降下の際に、無用の負担が掛からず、楽に操作することができる。
【００２８】
実施の形態３．
実施の形態３は、上記実施の形態１或いは形態２において、垂直上下方向移動手段２０の昇降枠体２３の下部に装着された水平方向移動手段（３０）の天井蓋９が、天井面より所定の下方位置へ下げられた際、即ち、横移動可能な位置に降下した際に、水平方向移動手段（３０）を所定方向へ傾ける傾動手段（４０）を介して、傾斜方向へ天井蓋９を横移動させる構成としたものである。
これを図９乃至図１１に基づいて説明する。図９は水平方向移動手段の動作を説明する要部拡大図、図１０は図９のＥ−Ｅ線断面図、図１１は図９のＦ−Ｆ線断面図である。
【００２９】
図９において、この例に示す傾動手段は、水平方向移動手段としてのスライドレール３０を昇降枠体２３の下部に装着するに当たって、当該スライドレール３０の移動方向、従って、天井蓋９の横移動方向と直交する方向であって、当該スライドレール３０の長手方向中央の重心位置を外した位置に、傾動中心軸４０を設け、この傾動中心軸４０を介して、スライドレール３０を傾動可能に、垂直上下方向移動手段２０の昇降枠体２３に軸着した構成としている。
【００３０】
スイライドレール３０は、この例では、市販されている二段式の製品を用いており、第１段スライドレール３１に納められた滑り出し部材が、当該第１段スライドレール３１の鞘に支持された状態にて、傾斜により限度一杯に滑り出てると共に、この滑り出し部材に案内されて第２のスライドレール３２が同じく限度一杯に滑り出る構成となっている。
こうして、天井蓋９がスライドレール３０によって、水平方向に横移動させられるが、スライドレール３０には天井蓋９が固定されているため、その横移動距離は、天井蓋９が脱出口である天井開口部８から完全に離れてしまう必要がある。従って、必要な横移動距離に相応する滑り出し長さをもつガイドレール３０を用いる必要がある。
【００３１】
傾動手段（４０）を上記のように構成することで、例えば、昇降枠体２３が降下した際の軽い衝撃で、スライドレール３０を揺動させて、所定の方向に傾けることができる（図９において左）。傾き角度によっては、傾動作に続いてそのまま第１段スライドレール３１が滑り出るように構成してもよい。勿論、この場合、予め摘みネジ３５は緩めておく。
この傾斜方向は、当然、重心位置側の方向となる。又、傾斜角度は、スライドレール３０が自然に滑り出て行く角度とせず、例えば、軽い適度な力を滑り出し方向に加えることによって、円滑に滑り出て行く角度としてもよい。この場合、には、スライドレール３０の降下終了後に摘みネジ３５を緩めて、手動で送り出すようにする。
尚、降下した際にスライドレール３０を自然に滑り出させるには、予め、スライドレール３０の係止手段である摘みネジ３５を緩めておく必要が有る。
【００３２】
この実施の形態によれば、水平方向移動手段としてのスライドレール３０に、降下した際に、傾きを与えることができるので、第１段スライドレール３１の滑り出しが良好となり、天井蓋９を迅速且つ容易に横移動させることができる。
【００３３】
【発明の効果】
請求項１乃至請求項８の各発明によれば、何れも、迅速且つ容易に開閉することのできる天井蓋開閉装置、殊に、エレベータかご室用の天井開閉装置として提供することができる。
又、非常救出口兼点検口等として使用される天井開口部の天井蓋の開閉作動範囲をコンパクトにすることができるので、エレベータかご室等の狭い部屋や床上高さ制限等の法規がある天井蓋の開閉装置として用いることができる。
又、天井蓋は天井面に対して垂直上下方向に移動するので、天井蓋と天井開口部の開口縁との間隙を最少にすることができ、これによって、天井面に対する天井蓋の存在感を薄めることができる等、意匠性（見映え）を損なうことのない天井蓋開閉装置を提供することができる。
【００３４】
請求項２及び請求項６の各発明によれば、何れも、垂直移動部材の昇降枠体の降下速度や衝撃が降下速度緩和手段によって緩和されるので、昇降枠体に装備される水平方向移動手段や当該水平方向移動手段に装備される天井蓋の降下速度や衝撃が緩和され、装置を円滑に作動させることができる。
又、天井開口部を大きく開口させるために、大きく形成されて重量が増した天井蓋であっても、垂直移動の際に無用の負担が掛からず、円滑に作動させることができる。
【００３５】
請求項３及び請求項４の各発明によれば、何れも、水平方向移動手段が降下した際に、所定方向に傾斜させることができるので、天井蓋の横移動を容易且迅速に行わせることができる。
【図面の簡単な説明】
【図１】  実施の形態１を示す平面図である。
【図２】  図１のＡ−Ａ線断面図である。
【図３】  図２のＢ一Ｂ線断面図である。
【図４】  昇降範囲規制長孔とストッパ部材とを示す側面図である。
【図５】  昇降範囲規制長孔とストッパ部材とを示す平面図である。
【図６】  図２のＣ一Ｃ断面図である。
【図７】  図２のＤ−Ｄ線断面図である。
【図８】  実施の形態２の要部拡大図である。
【図９】  実施の形態３の要部拡大図である。
【図１０】  図９のＥ−Ｅ線断面図である。
【図１１】  図９のＦ一Ｆ線断面図である。
【図１２】  従来装置の平面図である。
【図１３】  図１２のＧ−Ｇ線断面図である。
【符号の説明】
１  かご室、２  天板、３  天板開口部、４  外板蓋、５  天井、８  天井開口部、９  天井蓋、２０  垂直上下方向移動手段、２１  垂直ガイド部材、２２ローラ、２３  昇降枠体、２４  昇降範囲規制長孔、２５  ストッパ部材、２６  摘みネジ、３０  水平方向移動手段、３１  スライドレール本体、３１、３２、  子スライドレール、３５  摘みネジ、４０  傾動中心軸(傾動手段)。
【図１】
0004809982.tif 000002
【図２】
0004809982.tif 000003
【図３】
0004809982.tif 000004
【図４】
0004809982.tif 000005
【図５】
0004809982.tif 000006
【図６】
0004809982.tif 000007
【図７】
0004809982.tif 000008
【図８】
0004809982.tif 000009
【図９】
0004809982.tif 000010
【図１０】
0004809982.tif 000011
【図１１】
0004809982.tif 000012
【図１２】
0004809982.tif 000013
【図１３】
0004809982.tif 000014